(57)【特許請求の範囲】
【請求項１】
頭部と該頭部より小径の軸部とを有する螺子具を個別に保持する筒状のホルダであって、
一端に、開口部と、
他端側に、内壁から突出し、螺子具の軸部に当接して該螺子具を保持する保持部と、
前記開口部と保持部との間で、螺子具を締め付ける締付工具が該螺子具の頭部の上面に対して垂直方向から進行するように該締付工具の挿通をガイドする筒状のガイド部と、
前記保持部の他端側に、該保持部に保持された螺子具の軸部先端よりも他端側に突出して該螺子具を保護する保護部と
を備えることを特徴とする螺子具ホルダ。
【請求項２】
前記保護部は、前記ガイド部に対して拡径され、ホルダを起立可能に形成されていることを特徴とする請求項１記載の螺子具ホルダ。
【請求項３】
前記開口部に取り付けられる蓋部と、
該蓋部から前記保持部側に延設して設けられ、該開口部に該蓋部が取り付けられたときに、該保持部に保持された螺子具の開口部への移動を抑止する抑止部と
を有する抑止部材を備えることを特徴とする請求項１又は２記載の螺子具ホルダ。
【請求項４】
前記ホルダは、他端側が閉塞され、前記蓋部が前記開口部に取り付けられたときに、ホルダ内が密閉されることを特徴とする請求項３記載の螺子具ホルダ。
【請求項５】
請求項１から請求項４のうちいずれか１項記載の螺子具ホルダが個別に包装されたことを特徴とする包装体。
【発明の詳細な説明】
【技術分野】
【０００１】
本発明は、主に骨接合用プレートを固定する際に用いる螺子具を保持する螺子具ホルダおよびその包装体に関する。
【背景技術】
【０００２】
従来、頭部と該頭部より小径の軸部とを有する螺子具を保持するものとしては、図６に示すように、箱体の上面に複数径の貫通穴からなる受け部１０１を備える螺子具トレー１００が知られている。かかる螺子具トレー１００は、骨接合用プレートを固定するために使用される形状の異なる複数の螺子具Ｘを、予め各受け部１０１に嵌め込んで使用する。そして、医師、看護士等の医療行為者は、受け部１０１に嵌め込まれた複数の螺子具Ｘの中から、使用する螺子具Ｘをドライバ等の締付工具Ｙの先端に装着して、該プレートの固定のために用いる。具体的に、医療行為者が螺子具Ｘを締付工具Ｙに装着する際には、締付工具Ｙの先端を螺子具Ｘの頭部Ｘ１の上面に向かって垂直に進行させ、螺子具Ｘの頭部Ｘ１に設けられた溝部Ｘ３に締付工具Ｙの先端部Ｙ１を押し込む。これにより、溝部Ｘ３に締付工具Ｙの先端部Ｙ１が食い込み、摩擦力によって螺子具Ｘが締付工具Ｙに装着される。
【０００３】
しかしながら、かかる螺子具トレー１００は作業台の上に置いて使用されるため、医療行為者は、無意識に締付工具Ｙを頭部Ｘ１の上面に対して斜め方向から進行させてしまったり、螺子具Ｘの締付工具Ｙへの装着が不十分であるにも関わらず、締付工具Ｙの先端部Ｙ１が前記溝部Ｘ３に十分に押し込まれたと思い込み、装着作業を終了してしまうことがある。そして、締付工具Ｙに螺子具Ｘが確実に装着されていない場合には、トレー１００が置かれている作業台から前記プレートを固定する位置への移動の間に、螺子具Ｘが締付工具Ｙから脱落してしまう虞がある。特に、骨接合用プレートを固定するために使用される螺子具は、単価が高価であるにもかかわらず、床面その他の未消毒部分に落下させてしまった場合には、衛生上の理由から廃棄処分する必要があり、締付工具Ｙから脱落した螺子具Ｘは再利用することができないという不都合が生じる。
【０００４】
一方、複数の螺子具を保持するホルダとしては、板状体の長手方向に沿って、複数の漏斗状の受け部を形成したものが知られている（特許文献１参照。）。かかるホルダは、同一形状の複数の螺子具を受け部に保持して、ロボットに供給するものである。このようなホルダをロボットを用いない手術に用いた場合、該ホルダを作業台に載置した際に螺子具Ｘの軸部Ｘ２の先端が作業台に触れることになるので衛生上好ましくない。
【特許文献１】特開平２−２０５４１７号公報
【発明の開示】
【発明が解決しようとする課題】
【０００５】
以上の点に鑑み、螺子具を締付工具に確実に装着できる螺子具ホルダを提供することをその課題としている。
【課題を解決するための手段】
【０００６】
上記課題を解決するために、本発明の螺子具ホルダは、頭部と該頭部より小径の軸部とを有する螺子具を個別に保持する筒状のホルダであって、一端に開口部と、他端側に内壁から突出し、螺子具の軸部に当接して該螺子具を保持する保持部と、前記開口部と保持部との間で、螺子具を締め付ける締付工具が該螺子具の頭部の上面に対して垂直方向から進行するように該締付工具の挿通をガイドする筒状のガイド部と、前記保持部の他端側に、該保持部に保持された螺子具の軸部先端よりも他端側に突出して該螺子具を保護する保護部とを備えることを特徴とする。
【０００７】
本発明の螺子具ホルダによれば、使用者である医師、看護士等の医療行為者が、ドライバ等の締付工具を開口部からガイド部に挿通し、締付工具の先端に螺子具を装着する際に、締付工具が筒状のガイド部でガイドされるため、締付工具を螺子具の頭部の上面に対して垂直方向から進行させることができる。また、医療行為者は、螺子具ホルダを一方の手で把持して、他方の手で締付工具の先端を螺子具側に押し込むことができる。すなわち、医療行為者は、手元位置で両手を使って螺子具の締付工具への装着作業を行うことができる。そのため、螺子具は締付工具に確実に装着することができ、骨接合用プレートを固定する前に、螺子具を締付工具から脱落してしまうことを防止することができる。
【０００８】
また、本発明の螺子具ホルダにおいて、前記保護部は、前記ガイド部に対して拡径され、ホルダを起立可能に形成されていることが好ましい。
【０００９】
かかる本発明の螺子具ホルダによれば、筒状のガイド部から拡径した保護部によって、螺子具ホルダを安定的に起立させておくことができる。そのため、使用時に必要に応じて、一時的に螺子具ホルダを起立させておくことができる。
【００１０】
さらに、本発明の螺子具ホルダは、前記開口部に取り付けられる蓋部と、該蓋部から前記保持部側に延設して設けられ、該開口部に該蓋部が取り付けられたときに、該保持部に保持された螺子具の開口部への移動を抑止する抑止部とを有する抑止部材を備えることを特徴とする。
【００１１】
かかる本発明の螺子具ホルダによれば、前記開口部に前記蓋部が取り付けられたときに、抑止部によって前記保持部に保持された螺子具の開口部側への移動が抑止される。そのため、保持部に保持された螺子具は、抑止部材によって開口部への移動が抑止された状態で流通段階におかれ、流通段階で螺子具が保持部から脱落してしまうことを防止することができる。
【００１２】
また、本発明の螺子具ホルダは、前記ホルダは、他端側が閉塞され、前記蓋部が前記開口部に取り付けられたときに、ホルダ内が密閉されることを特徴とする。
【００１３】
かかる本発明の螺子具ホルダによれば、前記ホルダは他端側が閉塞され、一端側の開口部が前記蓋部によって密閉される。そのため、前記保持部に保持された螺子具は、外気から遮断された密閉状態となり、衛生状態を良好に保つことができる。
【００１４】
上記課題を解決するための本発明の包装体は、前記螺子具ホルダが個別に包装されたことを特徴とする。
【００１５】
かかる本発明の包装体によれば、前記医療行為者は、使用時に該包装体を開封して前記螺子具ホルダを使用することができ、使用前に螺子具を包装体から開封してトレー等に配列しておく必要がない。そのため、開封された螺子具が次の使用時に持ち越され、次の使用時に開封された螺子具と混同して使用されることを防止することができる。これにより、開封後長時間、使用されない螺子具が発生することを防止して、螺子具の個別管理が可能となる。
【発明を実施するための最良の形態】
【００１６】
次に、添付の図面を参照しながら本発明の実施の形態についてさらに詳しく説明する。図１は螺子具ホルダの斜視図であり、図２は螺子具を保持した状態の螺子具ホルダおよびその包装袋の斜視図であり、図３は螺子具を保持した状態の螺子具ホルダの断面図であり、図４および図５は螺子具ホルダの使用状態を示す説明図である。
【００１７】
本実施形態における螺子具ホルダ１は、図１及び図２に示すように、頭部Ｘ１と頭部Ｘ１より小径の軸部Ｘ２とを有する螺子具Ｘを個別に保持する筒状のホルダ本体１０と、ホルダ本体１０と組合せて用いられ、ホルダ本体１０に保持された螺子具Ｘの移動を抑止する抑止部材２０とを備える。
【００１８】
ホルダ本体１０は、半透明の合成樹脂製の部材であって、一端に開口部１１と、他端側に内壁から突出し、その先端が螺子具Ｘの軸部Ｘ２に当接して螺子具Ｘを保持する保持部１２とを備えている。
【００１９】
また、ホルダ本体１０は、開口部１１と保持部１２との間に筒状のガイド部１３を備え、ガイド部１３の内径は、螺子具Ｘの頭部Ｘ１と螺子具Ｘを装着可能なドライバＹとが挿通可能な大きさとなっている。
【００２０】
さらに、ホルダ本体１０は、保持部１２からさらに他端側に拡径して延設された保護部１４を備え、保護部１４は、他端側に突出したその先端部１５が、ガイド部１３の軸方向に対して垂直な一つの面を形成している。また、先端部１５は、保持部１２に保持された螺子具Ｘの軸部Ｘ２の先端よりも他端側に位置している。
【００２１】
抑止部材２０は、合成樹脂性の部材であって、開口部１１を密閉する蓋部２１と、蓋部２１から保持部１２側に延設して設けられた棒状の抑止部２２とを備える。
【００２２】
蓋部２１は、開口部１１の内壁と嵌着する嵌着部２３と、開口部１１と反対側にリング状に突出して設けられた摘み部２４とを備え、嵌着部２３は、抑止部材２０とは材質の異なるゴム製の別部材から構成されている。
【００２３】
抑止部２２は、蓋部２１が開口部１１を密閉したときに、抑止部２２の先端が保持部１２に保持された螺子具Ｘの頭部Ｘ１の開口部１１側に隣接して位置し、螺子具Ｘの開口部１１側への移動を抑止する。
【００２４】
一方、螺子具ホルダ１を個別に包装する包装袋３０は、図２に示すように、ナイロンやポリエチレンなどからなる積層体の透明フィルム３１を、ロール状にしてなるものから引出して２つ折りにし、その３方シールすることによって形成される。
【００２５】
次に、螺子具ホルダ１の機能について説明する。
【００２６】
初めに、螺子具ホルダ１の出荷段階について説明する。まず、図１に示すように、ホルダ本体１０と抑止部材２０とが分離された状態から、螺子具Ｘを保持部１２に保持する。具体的には、ドライバＹの先端に螺子具Ｘを装着した状態で、螺子具Ｘをホルダ本体１０の開口部１１からガイド部１３へ挿通し、螺子具Ｘの軸部Ｘ２を保持部１２に当接させる。そして、螺子具Ｘの軸部Ｘ２の先端を図示しない一時固定部材によって固定し、ドライバＹをホルダ本体１０から後退させて、ドライバＹから螺子具Ｘを解放する。なお、一時固定部材を用いる代わりに、螺子具Ｘを保持した保持部１２を周方向内方に圧迫して螺子具Ｘを固定し、ドライバＹから螺子具Ｘを解放してもよい。
【００２７】
次いで、螺子具Ｘが保持部１２に保持された後、図２および図３に示すように、抑止部材２０をホルダ本体１０に取り付ける。具体的に、抑止部材２０の取り付けは、抑止部２２を開口部１１から挿通させて、蓋部２１に設けられた嵌着部２３を開口部１１の内壁に嵌着させることによって行われる。このとき、開口部１１は、内壁に嵌着部２３が嵌着されるとともに、その開口端部が蓋部２１に当接する。
【００２８】
最後に、抑止部材２０がホルダ本体１０に取り付けられると、この状態で螺子具ホルダ１を包装袋３０に個別に包装する。具体的には、透明フィルム３１を２つ折りにして螺子具ホルダ１全体を覆い、２つ折りにしたフィルムの３方の端部をシールすることによって、螺子具ホルダ１を個別に包装する。そして、包装袋３０に螺子具ホルダ１に保持された螺子具の形状（軸部の長さや径の大きさ等）や製造年月日に対応したロット番号等が付されて出荷される。
【００２９】
このように、螺子具ホルダ１の保持部１２に保持された螺子具Ｘは、抑止部材２０の抑止部２２によって、開口部１１への移動が抑止された状態でホルダ内に収納されて流通段階におかれる。そのため、本発明の螺子具ホルダ１によれば、流通段階で、螺子具Ｘが保持部１２から脱落してしまうことを防止することができる。
【００３０】
次に、螺子具ホルダ１が医療現場で使用される段階について説明する。まず、使用者である医師又は看護士等の医療行為者は、包装袋３０に記載された螺子具Ｘの形状（軸部の長さや径の大きさ等）を確認する。そして、医療行為者は、個別包装された状態の螺子具ホルダ１を、その螺子具ホルダ１に保持された螺子具Ｘの軸部Ｘ２の長さや径の大きさの順に、作業台（図示省略）上に整理しておく。
【００３１】
次いで、医療行為者は、骨接合用プレート（図示省略）を固定するために使用する螺子具Ｘを決定し、整理した複数の螺子具ホルダ１の中から使用する螺子具Ｘが保持されている螺子具ホルダ１およびその包装袋３０を見出す。そして、使用が決定された螺子具Ｘに対応した包装袋３０が開封されて、その中から螺子具ホルダ１が取り出される。このように、包装袋３０は、使用される螺子具Ｘに対応したもののみが開封されるため、開封された螺子具Ｘが次の使用時に持ち越され、次の使用時に開封された螺子具Ｘと混同して使用されることを防止することができる。また、使用直前まで、螺子具ホルダー全体が包装袋３０に密封されているため、衛生状態を良好に保っておくこともできる。さらに、使用された螺子具Ｘの包装袋３０に記載されたロット番号を患者のカルテ等に記録しておくことで、螺子具Ｘのトレーサビリティを向上させることができるとともに、該ロット番号に基づいて螺子具Ｘの発注等を行うことで螺子具Ｘの在庫管理も可能になる。
【００３２】
そして、螺子具ホルダ１が包装袋３０から開封されると、医療行為者は、一方の手でホルダ本体１０を把持するとともに、他方の手で抑止部材２０の摘み部２４を摘んで、抑止部材２０をホルダ本体１０から離反させる方向に引き抜く。これにより、ホルダ本体１０と抑止部材２０とが分離される。
【００３３】
次いで、抑止部材２０がホルダ本体１０から分離されると、医療行為者は、一方の手でホルダ本体１０を把持しながら、他方の手でドライバＹの先端部Ｙ１を開口部１１からガイド部１３に挿通させ、図４に示すように、螺子具Ｘの頭部Ｘ１上面の溝部Ｘ３に押し込む。このとき、ドライバＹは、ガイド部１３によって螺子具Ｘの頭部Ｘ１の上面に対して垂直方向から進行するようにガイドされる。加えて、医療行為者は、手元位置で、両手を使って螺子具ＸをドライバＹへ装着することができるため、螺子具ＸをドライバＹに確実に装着することができる。
【００３４】
また、医療行為者は、ホルダ本体１０を把持して装着作業を行うことができるため、骨接合用プレートを固定する位置に近い場所で、螺子具ＸをドライバＹに装着することができ、当該骨接合プレートを固定する行為の作業効率を向上させることができる。
【００３５】
一方、螺子具ホルダ１は包装袋から開封された後、直ちに使用されない場合には、作業台の上に保護部１４の先端部１５を下方に向けて一時的に起立させておくこともできる。この場合、保持部１２に保持された螺子具Ｘは、その軸部Ｘ２の先端よりも保護部１４が突出して設けられているため、軸部Ｘ２がホルダの外部のものに直接触れることを防止して、螺子具の衛生状態を良好に保つことができる。
【００３６】
また、医療行為者は、ホルダ本体１０を作業台の上に保護部１４の先端部１５を下方に向けて起立させた状態で、ドライバＹを開口部１１からガイド部１３に挿通させて、ドライバＹの先端部Ｙ１を螺子具Ｘの頭部Ｘ１の溝部Ｘ３に押し込むようにしてもよい。この場合、ドライバＹは、ガイド部１３によって螺子具Ｘの頭部Ｘ１の上面に対して垂直方向から進行するようにガイドされ、且つ、ホルダ本体１０は、保護部１４によって安定的に起立しているため、螺子具ＸはドライバＹに確実に装着することができる。
【００３７】
なお、本実施形態において、ホルダ本体１０の開口部１１は、ガイド部１３と同一の内径となっているが、ドライバＹが挿入し易いように拡径されていてもよい。
【００３８】
また、本実施形態において、保持部１２は、内壁の全周が突出しているが、全周の一部（例えば１２０度毎の３箇所）が突出して、螺子具Ｘを保持してもよい。また、本実施形態において、保持部１２は、軸方向に貫通した貫通孔となっているが、螺子具Ｘの軸部Ｘ２の長さに相当する有底孔であってもよい。さらに、保持部１２を有底孔とする代わりに、図５に示すように、支持部１５に底部１６を設けてもよい。特に、保持部１２を有底孔とした場合や支持部１５に底部１６を有する場合には、蓋部２１を開口部１１に取り付けることにより、螺子具Ｘをホルダ本体１０内に密閉することができ、包装袋３０を使用しなくても、使用直前まで螺子具Ｘの衛生状態を良好に保っておくことができる。
【００３９】
さらに、本実施形態において、ホルダ本体１０のガイド部１３は、図４に示すように、ドライバＹが挿通な内径となっているが、図５に示すように、先端に把持部Ｙ２を有するドライバＹとの組合せで使用される場合には、ガイド部１３の内径を把持部Ｙ２が螺子具Ｘの頭部Ｘ１を把持できる大きさに設計して使用することができる。
【００４０】
また、本実施形態において、ホルダ本体１０の保護部１４は円錐台形となっているが、これに限定されるものではなく、例えば、棒状のものが保持部１２から複数突出するようなものであってもよい。
【００４１】
さらに、本実施形態において、抑止部材２０の嵌着部２３は、蓋部２１とは別部材から構成されているが、蓋部２１と一体であってもよい。
【００４２】
また、本実施形態において、包装袋３０は、ナイロンやポリエチレンなどからなる積層体の透明フィルム３１を２つ折りにし、その３方をシールすることにより構成されているが、これに限られるものではない。例えば、医療器具の包装として周知のラミネート体やフィルムやシートなどを２枚重ね合わせて、その４方をシールするようにしてもよい。さらに、包装体として包装袋３０の代わりに一般的な包装容器、例えば、トレーと該トレーの開口を封止する剥離可能なフィルムとからなる包装容器や、筒状のボトル本体と蓋体とからなる収納ボトルや、箱型のケース本体と蓋体となる収納ケースなどを用いるようにしてもよい。
【００４３】
さらに、本実施形態において、螺子具Ｘは、頭部Ｘ１の上面に溝部Ｘ３を有し、ドライバＹは、螺子具Ｘの溝部Ｘ３に対応した先端形状を有するが、螺子具Ｘは、頭部Ｘ１に六角穴を有する六角穴付きボルトや、頭部Ｘ１の形状が六角形の六角ボルトであってもよく、ドライバＹは、これらの螺子具Ｘのそれぞれに対応した六角棒スパナや六角レンチであってもよい。
【図面の簡単な説明】
【００４４】
【図１】本発明の一実施形態における螺子具ホルダの斜視図。
【図２】本発明の一実施形態における螺子具ホルダおよびその包装袋の斜視図。
【図３】本発明の一実施形態における螺子具ホルダの断面図。
【図４】本発明の一実施形態における螺子具ホルダの使用状態を示す説明図。
【図５】本発明の他の実施形態における螺子具ホルダの使用状態を示す説明図。
【図６】従来の螺子具トレーを示す斜視図。
【符号の説明】
【００４５】
１…螺子具ホルダ、  １０…ホルダ本体、  １１…開口部、  １２…保持部、  １３…ガイド部、  １４…保護部、  ２０…抑止部材、  ２１…蓋部、  ２２…抑止部、  ３０…包装袋（包装体）、  Ｘ…螺子具、  Ｘ１…頭部、  Ｘ２…軸部。
【図１】
0004503559.tif 000002
【図２】
0004503559.tif 000003
【図３】
0004503559.tif 000004
【図４】
0004503559.tif 000005
【図５】
0004503559.tif 000006
【図６】
0004503559.tif 000007